(57)【要約】【課題】履歴情報の前後関係が把握しやすい履歴図を表示すること。【解決手段】人員に係る履歴情報２６を時系列的に従って配置した履歴図２０を表示部１４に表示させる表示制御手段と、始期が異なる複数の履歴情報２６を時系列的に並べて表示する際に、少なくとも一部の履歴情報２６については、個々の履歴情報２６の始期を示す始点の位置が時系列的に等間隔で連続するように前記個々の履歴情報２６の表示幅を調整する等幅制御手段と、を備え、前記表示制御手段は、前記等幅制御手段により調整された表示幅で前記履歴情報２６を時系列に並べた履歴図２０を表示部１４に表示させる。【選択図】図８
2018041352.tif 000002
【特許請求の範囲】
【請求項１】
人員に係る履歴情報を時系列的に従って配置した履歴図を表示部に表示させる表示制御手段と、
始期が異なる複数の履歴情報を時系列的に並べて表示する際に、少なくとも一部の履歴情報については、個々の履歴情報の始期を示す始点の位置が時系列的に等間隔で連続するように前記個々の履歴情報
の表示幅を調整する等幅制御手段と、
を備え、
前記表示制御手段は、前記等幅制御手段により調整された表示幅で前記履歴情報を時系列に並べた履歴図を表示部に表示させる情報処理装置。
【請求項２】
前記等幅制御手段は、時系列に並べて表示する前記履歴情報の前記始点が所定の数を超えない場合に前記始点の位置が時系列的に等間隔で連続するように前記個々の履歴情報の表示幅を調整する請求項１に記載の情報処理装置。
【請求項３】
前記表示制御手段は、複数の管理項目の前記履歴情報が前記履歴図の縦軸方向に沿って配置されるとともに、各管理項目の前記履歴情報が前記履歴図の横軸方向に沿って時系列的に配置されるように前記表示部に表示させ、
前記等幅制御手段は、前記履歴図に配置される前記複数の管理項目の前記履歴情報のうち、少なくとも一部の履歴情報については、個々の履歴情報の始期を示す始点の位置が時系列的に等間隔で連続するように前記個々の履歴情報の表示幅を調整する請求項１又は２に記載の情報処理装置。
【請求項４】
人員に係る履歴情報を時系列に従って配置した履歴図を表示部に表示させる際に、個々の履歴情報が表示される個別表示領域内に、対応する履歴情報の履歴内容の表示が収まるか否かを判別する判別手段を備え、
前記表示制御手段は、前記判別手段により前記履歴内容の表示が前記個別表示領域内に収まらないと判別された場合は、当該判別された履歴情報に連続する後の履歴情報を表示する段を変更した履歴図を前記表示部に表示させる請求項１から３のいずれか一項に記載の情報処理装置。
【請求項５】
コンピュータを、
人員に係る履歴情報を時系列的に従って配置した履歴図を表示部に表示させる表示制御手段と、
始期が異なる履歴情報を時系列的に並べて表示する際に、少なくとも一部の履歴情報については、個々の履歴情報の始期を示す始点の位置が時系列的に等間隔で連続するように前記個々の履歴情報の表示幅を調整する等幅制御手段と、
として機能させ、
前記表示制御手段は、前記等幅制御手段により調整された表示幅で前記履歴情報を時系列に並べた履歴図を前記表示部に表示させるプログラム。
【発明の詳細な説明】
【技術分野】
【０００１】
本発明は、情報処理装置及びプログラムに関する。
【背景技術】
【０００２】
従来、会社等の団体に所属する人員（社員）の履歴情報をコンピュータに記憶させて管理することが知られており、各社員の履歴情報を履歴図として一覧表示して社員の履歴を把握することが知られている（例えば、特許文献１参照）。
【先行技術文献】
【特許文献】
【０００３】
【特許文献１】特開２０１１−２１０００４号公報
【発明の概要】
【発明が解決しようとする課題】
【０００４】
しかしながら、履歴図に多くの管理項目について一覧表示しようとすると、それぞれの管理項目に係る履歴情報の始期が近い時期に密集しているような場合には前後関係が把握しにくいという問題がある。
特に、離れた管理項目に係る履歴情報については、始期の前後関係を把握しにくい。
【０００５】
本発明の課題は、履歴情報の前後関係が把握しやすい履歴図を表示することである。
【課題を解決するための手段】
【０００６】
上記課題を解決するため、本発明の情報処理装置は、人員に係る履歴情報を時系列的に従って配置した履歴図を表示部に表示させる表示制御手段と、始期が異なる複数の履歴情報を時系列的に並べて表示する際に、少なくとも一部の履歴情報については、個々の履歴情報の始期を示す始点の位置が時系列的に等間隔で連続するように前記個々の履歴情報の表示幅を調整する等幅制御手段と、を備え、前記表示制御手段は、前記等幅制御手段により調整された表示幅で前記履歴情報を時系列に並べた履歴図を表示部に表示させる。
【発明の効果】
【０００７】
本発明によれば、履歴情報の前後関係が把握しやすい履歴図を表示することができる。
【図面の簡単な説明】
【０００８】
【図１】本発明に係る一実施形態である情報処理装置の主要構成を示すブロック図である。
【図２】基本情報ＴＢＬに格納された記憶内容の一例を示す説明図である。
【図３】履歴情報ＴＢＬに格納された記憶内容の一例を示す説明図である。
【図４】履歴情報条件ＴＢＬに格納された記憶内容の一例を示す説明図である。
【図５】履歴図の表示画面の一例を示す説明図である。
【図６】等幅表示処理を示すフローチャートである。
【図７】等幅表示されない履歴図の一例を示す説明図である。
【図８】等幅表示された履歴図の一例を示す説明図である。
【発明を実施するための形態】
【０００９】
以下に、本発明について、図面を用いて具体的な態様を説明する。ただし、発明の範囲は、図示例に限定されない。
【００１０】
情報処理装置１は、例えば、一の企業に所属する各社員の履歴情報２６を、図５に示すような履歴図２０として一覧表示する装置である。図１に示すように、情報処理装置１は、表示制御手段、等幅制御手段、判別手段としてのＣＰＵ（Central Processing Unit）１１と、複数の操作キーを有する操作部１２と、ＣＰＵ１１に作業用のメモリ空間を提供するＲＡＭ（Random Access Memory）１３と、表示部１４と、ＣＰＵ１１が実行するプログラムや制御データを格納した記憶部１５と、通信部１６とを備える。また、バス１７は、ＣＰＵ１１、操作部１２、ＲＡＭ１３、表示部１４、記憶部１５及び通信部１６をそれぞれ接続している。
【００１１】
ＣＰＵ１１は、記憶部１５に記憶されているシステムプログラムを読み出し、ＲＡＭ１３のワークエリアに展開し、このプログラムに従って各部を制御する。また、ＣＰＵ１１は、記憶部１５に記憶されている各種処理プログラムを読み出してワークエリアに展開し、情報表示処理を実行する。
【００１２】
操作部１２は、カーソルキー、文字、数字入力キー及び各種機能キー等を備えたキーボードを含む構成とし、操作者による各キーの押下入力を受け付けてその操作情報をＣＰＵ１１に出力する。また、操作部１２は、マウス等のポインティングデバイスを含み、位置入力を受け付けて操作情報としてＣＰＵ１１に出力する。
なお、操作部１２には、タッチパネル等の操作装置も適用することができ、入力操作ができるものであればいずれでもよい。
【００１３】
ＲＡＭ１３は、揮発性のメモリである。また、ＲＡＭ１３は、実行されるプログラムやこれらプログラムに係るデータ等を格納するワークエリアを有する。
【００１４】
表示部１４は、ＬＣＤ（Liquid Crystal Display）等で構成され、ＣＰＵ１１から入力される表示情報に応じて各種表示を行う。
【００１５】
記憶部１５は、磁気記録媒体を有するＨＤＤ（Hard Disk Drive）、不揮発性の半導体メモリ等により構成される。
記憶部１５には、プログラム記憶部１５Ａが設けられている。このプログラム記憶部１５Ａには、ＣＰＵ１１で実行されるシステムプログラム、各種の処理プログラム等のプログラム及びこれらのプログラムの実行に必要な各種データ等が記憶されている。これらのプログラムは、コンピュータ読み取り可能なプログラムコードの形態でプログラム記憶部１５Ａに格納されている。ＣＰＵ１１は、当該プログラムコードに従った動作を逐次実行する。
処理プログラムとしては、等幅制御プログラム１５１が記憶されている。
【００１６】
また、記憶部１５には、情報ＤＢ３０が記憶されている。この情報ＤＢ３０には、基本情報ＴＢＬ４０Ａと、履歴情報ＴＢＬ４０Ｂと、履歴情報条件ＴＢＬ４０Ｃとが記憶されている。
【００１７】
通信部１６は、モデム、ルータ、ネットワークカード等により構成され、通信ネットワークに接続されて、通信ネットワーク上のクライアント端末との通信を行う。通信ネットワークは、専用線や既存の一般公衆回線を利用して構築された通信ネットワークであり、ＬＡＮ（Local Area Network）やＷＡＮ（Wide Area Network）等の様々な回線形態を適用することが可能である。また、通信ネットワークには、例えば、電話回線網、ＩＳＤＮ回線網、専用線、移動体通信、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。
【００１８】
図２に示すように、基本情報ＴＢＬ４０Ａは、履歴図２０に表示しようとする社員の基本的な情報が格納された情報テーブルである。
基本情報ＴＢＬ４０Ａには、社員特定情報４１と、社員付帯情報４２とが格納されている。
社員特定情報４１には、社員番号４１１と、氏名４１２とが含まれる。
社員付帯情報４２には、性別４２１と、生年月日４２２と、入社日４２３とが含まれる。
【００１９】
図３に示すように、履歴情報ＴＢＬ４０Ｂは、履歴図２０に表示しようとする社員の履歴に関する情報が格納された情報テーブルである。
履歴情報ＴＢＬ４０Ｂには、社員番号４１１と、期間情報４３と、表示情報４４とが格納されている。
期間情報４３には、社員の各履歴の開始年月日４３１と、終了年月日４３２とが含まれる。
表示情報４４には、各履歴の内容として管理コード４４１と、管理名４４２と、表示値４４３とが含まれる。
表示値４４３は、表示部１４に表示される履歴図２０の履歴情報表示領域２０２に表示される情報が含まれる。
なお、表示される情報としては、例えば、発令については、会社、事業所、所属、役職、職種、職級等についての情報が含まれる。申請については、社員居住、通勤経路、家族構成、家族住所、公的資格、語学レベル等についての情報が含まれる。事務・業務については、社会保険、住民税、営業評価、退職金等についての情報が含まれる。
【００２０】
図４に示すように、履歴情報条件ＴＢＬ４０Ｃは、履歴図２０に表示しようとする社員の履歴を検索する際に用いられる検索に関する情報が格納された情報テーブルである。
履歴情報条件ＴＢＬ４０Ｃには、社員番号４１１と、期間情報４３と、条件情報４５とが格納されている。
期間情報４３には、社員の各履歴の開始年月日４３１と、終了年月日４３２とが含まれる。
条件情報４５には、項目コード４５１と、項目名４５２と、コード値４５３と、名称値４５４と、条件値４５５とが含まれる。また、項目コード４５１及び項目名４５２は、図３の管理コード４４１及び管理名４４２にそれぞれ対応している。例えば、管理コード４４１が「１００６０００」、管理名４４２が「職級」に関する履歴情報２６（図３中の符号Ｈ）について検索を行う場合、項目コード４５１が「１００６００１〜１００６００３」に該当する情報に対応している（図４中の箇所Ｐ）。
なお、基本情報ＴＢＬ４０Ａ、履歴情報ＴＢＬ４０Ｂ及び履歴情報条件ＴＢＬ４０Ｃは、情報が変更、追加された時点で随時更新される。
【００２１】
図５に示すように、表示部１４に表示される社員の履歴図２０は、上部に社員に関する基本情報が表示される基本情報表示領域２０１、中央部に管理項目ごとの履歴情報２６が表示される履歴情報表示領域２０２、下部に履歴情報２６に同一又は類似した履歴情報２６を有する他の社員を検索するための検索領域２８が設けられている。
【００２２】
基本情報表示領域２０１には、基本情報として、本籍会社、所属会社、事業所、社員番号、氏名、性別、誕生日、年齢が表示される。
履歴情報表示領域２０２には、履歴情報２６の管理項目が縦軸２１に配置され、過去から未来へ亘る時間軸が横軸２２に配置されている。
縦軸２１は、３つの属性に大別されており、具体的には、会社から社員に下される発令２１１と、社員から会社に申告する申請２１２と、人事が取り扱う事務・業務２１３とに分けられている。
【００２３】
発令２１１には、会社、事業所、所属、役職、職種、職級が、履歴情報２６の管理項目として表示され、申請２１２には、社員住居、通勤経路、家族構成、家族住所、公的資格、語学レベルが、履歴情報２６の管理項目として表示され、事務・業務２１３には、社会保険、住民税、営業評価、退職金が、履歴情報２６の管理項目として表示されている。
横軸２２には、履歴図２０の左から順に、過去２２１、現在２２２、未来２２３の時間軸が表示される。過去２２１とは、前期以前のことであり、現在２２２とは当期のことであり、未来２２３とは来期以降のことである。過去２２１の履歴情報２６については、期間のスケールを、履歴情報表示領域２０２の上部中央に設けられたスライダ２３で調整できるようになっている。具体的には、横軸２２の過去２２１の単位表示長さが、スライダ２３を左から右へとスライドさせることで、半月、１か月、２か月、３か月、４か月、５か月、１０か月、１５か月、２０か月と変更されるようになっている。
なお、スライダで調整される期間は上記期間に限られず、適宜設定してもよい。
【００２４】
履歴情報２６の表示については、間引き表示モードと等幅表示モードとのいずれかを選択できるように、縦軸２１の管理項目と履歴情報２６との間にラジオボタン２４が設けられており、いずれかをクリックすることで管理項目ごとに任意のモードの履歴図２０の表示が行える。
また、それぞれのモードにおいて、管理項目ごとに段下げ表示をするかしないかを選択できるようにトグルボタン２５が設けられている。
また、全ての管理項目を間引き表示モードもしくは等幅表示モードに一括して選択できるように履歴図２０の右上に一括ラジオボタン２４Ａが設けられており、同様に全ての管理項目について段下げ表示をするかしないかを一括して選択できるように履歴図２０の右上に一括トグルボタン２５Ａが設けられている。
なお、ラジオボタン２４，トグルボタン２５及び一括ラジオボタン２４Ａ，一括トグルボタン２５Ａのいずれも選択しない場合は、間引き表示、等幅表示、段下げ表示のいずれも行わないいわゆる標準表示がなされるようになっている。
【００２５】
また、現在２２２（今期）の履歴情報２６の右側に未来２２３（来期）の予測イベント内容２７が表示されている。これは、他の社員の履歴推移の蓄積データから算出された推移率が格納されている図示しない履歴推移ＴＢＬの情報に基づいて、管理項目ごとの過去２２１及び現在２２２の履歴情報２６から可能性の高い予測イベント内容２７が予測値として表示されたものである。例えば、所属の管理項目であれば、過去の所属と現在の所属とを踏まえて、これまでの他の社員の異動実績からジョブローテーション先として可能性の高い部署を予測イベント内容２７として表示している。
【００２６】
検索領域２８は、任意の履歴情報２６を検索領域２８にドラッグ＆ドロップすると、履歴情報条件ＴＢＬ４０Ｃの名称値４５４に格納された情報に基づいて検索条件２８１が表示され、検索条件２８１に基づいて情報ＤＢ３０に記憶されている履歴情報ＴＢＬ４０Ｂから同一又は類似する対象履歴情報を検索し、同一又は類似する対象履歴情報を有する他の社員がリストアップされる画面表示領域である。
【００２７】
次に、本実施形態の動作について説明する。
〔等幅表示〕
等幅表示処理は、操作部１２から処理開始の指示が入力された際にＣＰＵ１１と記憶部１５に記憶されているプログラム記憶部１５Ａに記憶された等幅制御プログラム１５１との協働により実行される。
【００２８】
まず、ＣＰＵ１１は、履歴図２０に表示する管理項目について等幅表示処理を行うか否かを決定する。
ここで、等幅表示とは、個々の履歴情報の始期を示す始点が時系列に横軸２２に対して等幅（等間隔）に配置されるように、それぞれの履歴情報２６の期間長さに関係なく長さを調整して表示することをいう。
【００２９】
図６に示すように、ＣＰＵ１１は、社員の履歴に関する情報である基本情報ＴＢＬ４０Ａと、履歴情報ＴＢＬ４０Ｂと、履歴情報条件ＴＢＬ４０Ｃと、を情報ＤＢ３０から取得する（ステップＳ１）。
ＣＰＵ１１は、履歴情報ＴＢＬ４０Ｂに格納された情報から履歴図２０に表示する全ての管理項目に係る履歴情報２６の数を導出する（ステップＳ２）。
【００３０】
次に、ＣＰＵ１１は、導出した履歴情報２６の数から、それぞれの履歴情報２６の履歴期間の始期を始点とし、始点の数を計測する（ステップＳ３）。ＣＰＵ１１は、計測した始点の数が任意の設定値よりも多いかどうかを判別する（ステップＳ３１）。ＣＰＵ１１は、始点の数が任意の設定値よりも多い場合（ステップＳ３１；ＹＥＳ）、等幅表示処理を行わないことを決定する（ステップＳ４２）。また、ＣＰＵ１１は、始点の数が任意の設定値よりも少ない場合（ステップＳ３１；ＮＯ）、等幅表示処理を行うことを決定する（ステップＳ４１）。具体的には、それぞれの始点が時系列に履歴図２０の横軸２２に対して等幅（等間隔）に配置されるようにそれぞれの履歴情報２６を期間の長さに関係なく長さを調整して表示することを決定する。このとき、横軸２２に対して最も左側の始点は、過去２２１の履歴情報表示領域２０２の左端から右に所定距離離間して配置される。最も右側の始点も、同様に過去２２１の履歴情報表示領域２０２の右端から左に所定距離離間して配置される。このため、左端の履歴情報２６の視認性を確保し、右端の履歴情報２６の表示スペースを確保することができるようになっている。この場合、始点同士の離間距離、言い換えれば、個別表示領域２６１の長さは、以下の式で算出することができる。
Ｌ＝（Ｌｙ−（ＬＬＳＢ＋ＬＲＳＢ））／（ＮＰ−１）      ・・・（式１）
Ｌ＝個別表示領域２６１の長さ
Ｌｙ＝履歴情報２６が表示される横軸長さ
ＬＬＳＢ＝左端側の離間寸法
ＬＲＳＢ＝右端側の離間寸法
ＮＰ＝始点の総数
【００３１】
なお、任意の設定値は、表示部１４の表示サイズ等に応じて適宜設定を変更されてもよい。すなわち、表示サイズが小さくなれば、履歴図２０の横軸２２の長さも短くなるため、それに従って、設定値を小さく（等幅表示を行う始点の上限数を少なく）することで、等幅表示による視認性向上の効果が維持されるようになっている。
【００３２】
また、履歴図２０は、等幅表示だけでなく、段下げ表示を合わせて行うこととしてもよい。例えば、トグルボタン２５又は一括トグルボタン２５Ａが選択された場合、段下げ表示を行うこととなっている。ここで、段下げ表示とは、個別表示領域２６１に履歴内容２６２を表示し切れないと判別された履歴情報２６の直後の履歴情報２６を段下げして、履歴内容２６２を個別表示領域２６１からはみ出して表示することである。すなわち、上記（式１）により算出された個別表示領域２６１の長さにおいて、履歴内容２６２が表示し切れない場合に、段下げ表示されることとなる。
【００３３】
図７，図８を参照して等幅表示の一例を説明する。
図７に示した履歴図２０は、等幅表示されず、段下げ表示のみが行われたものである。図中に示した（１）〜（１３）の数字は、それぞれの履歴情報２６の始点（始期）である。また、履歴図２０の下部にこれらの始点をそれぞれ対応する位置に並べたものを示した。図７より明らかなように、それぞれの始点は、各々様々な間隔幅に離間して配置している。言い換えれば、それぞれの始点は、間隔幅が狭く配置されているものや広く配置されているものなどがある。すなわち、間隔幅が狭い始点同士においては、どちらが前なのか後なのか前後関係が不明瞭な箇所が存在することとなる（図中では、特に（５）〜（９）の前後関係が不明瞭である）。また、管理項目の配置が縦軸２１に対して離れた始点の前後関係においては、縦軸方向に離れてかつ、横軸方向に近接するので、より一層前後関係が把握しづらくなっている（図中では、特に（６）と（８）との前後関係が不明瞭である）。
【００３４】
これに対し、図８に示すように、等幅表示を行ったものは、始点が時系列に横軸２２に対して等間隔に配置されるように、それぞれの履歴情報２６が期間長さに関係なく長さが調整されている。
こうすることで、等幅表示処理前には、始点同士の間隔が狭い箇所（特に図７における始点（５）〜（９））を等幅表示することでそれぞれ始点の間隔が広がる。このため、それぞれの始点に係る履歴情報２６の始期の前後関係を認識しやすくすることができるようになっている。
また、縦軸２１に対して離れて配置された管理項目間における始点（特に図７における始点（６）と（８））は、横軸２２に対しての間隔が狭いと、より一層前後関係が把握しづらいものとなるが、等幅表示することで横軸に対する始点同士の間隔が広がるため、前後関係の把握がしやすくなる。
【００３５】
また、最も左側の始点（１）は、過去２２１の履歴情報表示領域２０２の左端から右に所定距離離間して配置される。最も右側の始点（１３）も、同様に過去２２１の履歴情報表示領域２０２の右端から左に所定距離離間して配置される。具体的には、履歴図２０の過去２２１及び現在２２２の履歴情報表示領域２０２の横軸２２の長さに対して、例えば４分の１長さ分、履歴情報表示領域２０２の左端から右に始点（１）を離間させる。同様に始点（１３）も４分の１長さ分、履歴情報表示領域２０２の右端から左に始点（１３）を離間させる。なお、離間寸法は、４分の１に限らず、５分の１でもいずれでもよいし、始点（１）の離間距離と始点（１３）の離間距離とが異なるものとしてもよい。
こうすることで、始点（１）を有する履歴情報２６は、縦軸２１から所定距離離間するため、履歴内容２６２の視認性が向上する。また、始点（１３）を有する履歴情報２６は、現在２２２の右端から所定距離離間するため、所定距離分が個別表示領域２６１として確保されるようになっている。すなわち、履歴内容２６２を表示するスペースを確保することができるようになっている。
【００３６】
なお、本実施形態では、全ての管理項目について等幅表示された履歴図２０（一括ラジオボタン２４Ａで等幅表示が選択された場合）を示したが、これに限らず、管理項目ごとにラジオボタン２４で選択し、一部の管理項目についてのみ等幅表示を行うものとしてもよい（一つの管理項目だけを選択する場合を含む）。
【００３７】
以上のように、本実施形態に係る情報処理装置１によれば、ＣＰＵ１１は、人員に係る履歴情報２６を時系列的に従って配置した履歴図２０を表示部１４に表示し、始期が異なる複数の履歴情報２６を時系列的に並べて表示する際に、少なくとも一部の履歴情報２６については、個々の履歴情報２６の始期を示す始点の位置が時系列的に等間隔で連続するように個々の履歴情報２６の表示幅を調整し、調整された表示幅で履歴情報２６を時系列に並べた履歴図２０を表示部１４に表示する。
これによれば、履歴情報２６の始期を示す始点を等しい間隔に配列するよう履歴情報２６の表示幅が調整されるので、履歴情報２６の始点が近い時期に集中するような場合でも履歴情報２６ごとの始点の前後関係を容易に認識することができる。
よって、履歴情報２６の前後関係が把握しやすい履歴図２０を表示することができる。
【００３８】
また、ＣＰＵ１１は、時系列に並べて表示する履歴情報２６の始点が所定の数を超えない場合に始点の間隔が等幅となるようにそれぞれの履歴情報２６の表示幅を調整するので、所定の数を超える多数の履歴情報２６が存在する場合には、仮に始点を等しい間隔で配列したとしても始点同士の間隔があまり広がらないため、前後関係が必ずしも把握しやすくなるわけではない。このため、始点を等しい間隔に配列して等幅表示することによる視認性向上の効果が得られる始点の数の上限を設定値として設定することで、視認性向上の効果が得られない不要な等幅表示を避けることができる。
【００３９】
また、ＣＰＵ１１は、複数の管理項目の履歴情報２６が履歴図２０の縦軸２１方向に沿って配置するとともに、各管理項目の履歴情報２６が履歴図２０の横軸２２方向に沿って時系列的に配置するように表示部１４に表示させ、履歴図２０に配置される複数の管理項目の履歴情報２６のうち、少なくとも一部の始点の間隔が等幅となるようにそれぞれの履歴情報２６の表示幅を調整するので、履歴情報２６の始点が近い時期に集中するような場合でも履歴情報２６ごとの始点の前後関係を容易に認識することができる。例えば、管理項目の配置が縦軸２１に対して離れてかつ、横軸に対して間隔が狭い履歴情報２６同士の前後関係は特に把握しにくいが、始点を等間隔に配列することで、横軸に対する始点の間隔が広がり、履歴情報２６の前後関係を把握しやすくできる。
【００４０】
また、ＣＰＵ１１は、履歴情報２６が表示される個別表示領域２６１に、履歴情報２６の履歴内容２６２の表示が収まるか否かを判別し、履歴内容２６２の表示が収まらないと判別された場合、当該履歴情報２６に連続する後の履歴情報２６の表示を段下げして表示する。
これによれば、ＣＰＵ１１は、個別表示領域２６１内に履歴内容２６２が表示し切れない履歴情報２６の直後の履歴情報２６が段下げ表示されるので、個別表示領域２６１からはみ出して履歴内容２６２を表示することができる。
【００４１】
また、本実施形態においては、情報処理装置１をスタンドアロンの装置として説明したが、情報処理装置１は、ＬＡＮ、インターネットに接続された複数の装置により構成されることとしてもよい。例えば、情報処理装置１は、操作部１２や表示部１４等のユーザインターフェースを備える端末と、記憶部１５を備える記憶装置と、表示制御手段等を備えるサーバと、により構成されることとしてもよい。
【００４２】
また、本実施形態においては、履歴図２０を表示部１４に表示することとしたが、これに限らず、例えば、プリンタから印刷出力することとしてもよい。
【００４３】
また、本実施形態において、情報処理装置１は、会社に所属する社員である人物の履歴情報２６を管理する装置として説明したが、情報処理装置１は、この構成に限定されるものではなく、任意の組織、グループに所属する構成員の人材情報を管理する構成としてもよい。
すなわち、「社員」とは、会社に所属する社員に限定されるものではなく、組織、グループに所属する構成員等の人物を含むものとする。
【００４４】
その他、情報処理装置１を構成する各装置の細部構成及び細部動作に関しても、発明の趣旨を逸脱することのない範囲で適宜変更可能である。
【００４５】
本発明の実施形態を説明したが、本発明の範囲は上述の実施の形態に限定するものではなく、特許請求の範囲に記載された発明とその均等の範囲に含まれる。以下に、本願出願の当初の特許請求の範囲に記載された発明を付記する。
［付記］
＜請求項１＞
人員に係る履歴情報を時系列的に従って配置した履歴図を表示部に表示させる表示制御手段と、
始期が異なる複数の履歴情報を時系列的に並べて表示する際に、少なくとも一部の履歴情報については、個々の履歴情報の始期を示す始点の位置が時系列的に等間隔で連続するように前記個々の履歴情報の表示幅を調整する等幅制御手段と、
を備え、
前記表示制御手段は、前記等幅制御手段により調整された表示幅で前記履歴情報を時系列に並べた履歴図を表示部に表示させる情報処理装置。
＜請求項２＞
前記等幅制御手段は、時系列に並べて表示する前記履歴情報の前記始点が所定の数を超えない場合に前記始点の位置が時系列的に等間隔で連続するように前記個々の履歴情報の表示幅を調整する請求項１に記載の情報処理装置。
＜請求項３＞
前記表示制御手段は、複数の管理項目の前記履歴情報が前記履歴図の縦軸方向に沿って配置されるとともに、各管理項目の前記履歴情報が前記履歴図の横軸方向に沿って時系列的に配置されるように前記表示部に表示させ、
前記等幅制御手段は、前記履歴図に配置される前記複数の管理項目の前記履歴情報のうち、少なくとも一部の履歴情報については、個々の履歴情報の始期を示す始点の位置が時系列的に等間隔で連続するように前記個々の履歴情報の表示幅を調整する請求項１又は２に記載の情報処理装置。
＜請求項４＞
人員に係る履歴情報を時系列に従って配置した履歴図を表示部に表示させる際に、個々の履歴情報が表示される個別表示領域内に、対応する履歴情報の履歴内容の表示が収まるか否かを判別する判別手段を備え、
前記表示制御手段は、前記判別手段により前記履歴内容の表示が前記個別表示領域内に収まらないと判別された場合は、当該判別された履歴情報に連続する後の履歴情報を表示する段を変更した履歴図を前記表示部に表示させる請求項１から３のいずれか一項に記載の情報処理装置。
＜請求項５＞
コンピュータを、
人員に係る履歴情報を時系列的に従って配置した履歴図を表示部に表示させる表示制御手段と、
始期が異なる履歴情報を時系列的に並べて表示する際に、少なくとも一部の履歴情報については、個々の履歴情報の始期を示す始点の位置が時系列的に等間隔で連続するように前記個々の履歴情報の表示幅を調整する等幅制御手段と、
として機能させ、
前記表示制御手段は、前記等幅制御手段により調整された表示幅で前記履歴情報を時系列に並べた履歴図を前記表示部に表示させるプログラム。
【符号の説明】
【００４６】
１     情報処理装置
１１   ＣＰＵ
１２   操作部
１３   ＲＡＭ
１４   表示部
１５   記憶部
２０   履歴図
２６   履歴情報
１５１ 等幅制御プログラム
【図１】
2018041352.tif 000003
【図２】
2018041352.tif 000004
【図３】
2018041352.tif 000005
【図４】
2018041352.tif 000006
【図５】
2018041352.tif 000007
【図６】
2018041352.tif 000008
【図７】
2018041352.tif 000009
【図８】
2018041352.tif 000010